(57)【特許請求の範囲】
【請求項１】
緯糸（４）を保持するための第１及び第２の保持部材（１，２）を備え、前記第１及び第２の保持部材（１，２）は少なくとも一部において互いに接触し、かつ前記第１及び第２の保持部材（１，２）によって保持間隙（３）を形成するグリッパ式織機における搬送用グリッパの糸保持装置であって、
前記第１の保持部材（１）は透孔（８）を備え、かつ前記第２の保持部材（２）はテーパ状部（１３）を備え、該透孔（８）及びテーパ状部（１３）は、曲線によって囲まれた断面積を有する保持間隙（３）を構成し、かつ前記保持間隙（３）は糸の挿入される方向に沿ってその幅が徐々に狭くなるとともに該保持間隙（３）を構成する輪郭は糸の挿入される方向に沿って徐々に大きくなり、それにより該保持間隙（３）内に導入された緯糸（４）が摩擦によって同時に変形された状態にて保持され、
前記第２の保持部材（２）は、保持間隙（３）の寸法を変えて緯糸（４）の挿入及び導出を促進すべく、移動可能に設けられていることを特徴とするグリッパ式織機における搬送用グリッパの糸保持装置。
【請求項２】
前記透孔（８）及びテーパ状部（１３）の断面は円形状、楕円形状、多角形状、星形状及びこれらのうちの一部の形状中の１つをなすことを特徴とする請求項１に記載のグリッパ式織機における搬送用グリッパの糸保持装置。
【請求項３】
前記透孔（８）及びテーパ状部（１３）の断面形状は、同一であるか、又は異なっていることを特徴とする請求項１及び２のいずれかに記載のグリッパ式織機における搬送用グリッパの糸保持装置。
【請求項４】
前記透孔（８）及びテーパ状部（１３）の母線は直線であることを特徴とする請求項１に記載のグリッパ式織機における搬送用グリッパの糸保持装置。
【請求項５】
前記第２の保持部材（２）はその長さ方向における延長部分が保持間隙（３）の外部において第１の保持部材（１）により保持されていることを特徴とする請求項１に記載のグリッパ式織機における搬送用グリッパの糸保持装置。
【請求項６】
前記第１の保持部材（１）はグリッパヘッドに固着されるための案内部材であることを特徴とする請求項１に記載のグリッパ式織機における搬送用グリッパの糸保持装置。
【請求項７】
請求項１乃至６のいずれか１項に記載の糸保持装置を備えることを特徴とするグリッパ織機。
【発明の詳細な説明】
【０００１】
【産業上の利用分野】
この発明はグリッパ織機における搬送用グリッパの糸保持装置に関するものである。
【０００２】
【従来の技術】
スイス特許公開第５０８０７５号において、斜状に切削された領域を備えた管片及び同管片の孔内に遊嵌され、かつ端部において後方に曲折する小片により管片に対し強固に連結されたロッドを備えた糸保持装置が開示されている。端部の小片は、ロッドが孔内においてロッドを径方向に移動させるためのバネとして機能する。ロッドの外周面及び孔の内周面間の間隙は、円周方向全体において糸の太さに等しく設定され、緯入れ用の緯糸が孔に達するとロッドに巻かれてその範囲が増加されることにより、一層堅固に保持される。
【０００３】
【発明が解決しようとする課題】
この糸保持装置は、間隙が各糸の太さと合致するため、糸がバネ状のロッドの保持動作に追従するという問題点がある。この結果、糸が搬送されると、基糸が間隙の後方に残ることになる。よって、無端状の糸（Ｅｎｄｌｏｓｇａｒｎ）や撚りがある糸（Ｚｗｉｒｎｇａｒｎ）  を使用したとき、織布に織傷が発生することになる。
【０００４】
この発明の目的は、上記した問題点を回避すると共に、直径の異なる複数の緯糸を確実に保持することが可能な搬送グリッパの糸保持装置を提供することにある。
【０００５】
【課題を解決するための手段】
上記した目的を達成するために、この発明は緯糸を保持するための第１及び第２の保持部材を備え、第１及び第２の保持部材は少なくとも一部において互いに接触し、かつ第１及び第２の保持部材によって保持間隙を形成するグリッパ式織機における搬送用グリッパの糸保持装置において、第１の保持部材は透孔を備え、かつ第２の保持部材はテーパ状部を備え、該透孔及びテーパ状部は、曲線によって囲まれた断面積を有する保持間隙を構成し、かつ該保持間隙は糸の挿入される方向に沿ってその幅が徐々に狭くなるとともに該保持間隙を構成する輪郭は糸の挿入される方向に沿って徐々に大きくなり、それにより該保持間隙内に導入された緯糸が摩擦によって同時に変形された状態にて保持され、第２の保持部材は、保持間隙の寸法を変えて緯糸の挿入及び導出を促進すべく、移動可能に設けられていることをその要旨とする。
【０００６】
透孔（８）及びテーパ状部（１３）の断面は、円形状、楕円形状、多角形状、星形状及びこれらのうちの一部の形状中の１つをなすことが好ましい。実施例において、該透孔（８）及びテーパ状部（１３）の断面形状は同一であるか、又は異なっている。また、領域の母線は直線である。
【０００８】
さらに、第２の保持部材はその長さ方向における延長部分が保持間隙の外部において第１の保持部材により保持されている。
【０００９】
【作用】
保持間隙に糸が挿入されると、糸は変形される。保持間隙を狭めて糸の断面を変形させることと、保持間隙の断面の輪郭を大きくして変形した糸にてニードルの回りを環状に巻回することとは同時に行われる。糸の変形及び糸の巻回度合いにより、糸の各単繊維が第２の保持部材に対して押しつけられるように保持される。
【００１０】
【実施例】
糸保持装置は、本体１及びニードル２よりなり、両者１，２によって緯糸４を保持するための保持間隙３が形成されている。本体１の部分５は前部に凸状領域６を備え、ニードル２を収容するようになっている。そして、本体１の後部には、本体を図示しないグリッパハウジングに対して上方から固定するための部分７が形成されている。本体１には孔８が透設され、その外周部が保持間隙３に隣接する領域９を形成している。前記孔８は本体１の下面に対して傾斜するように形成され、その開口は本体１の凸状領域６に隣接している（図３）。
【００１１】
前記ニードル２は断面円状をなしている。前記ニードル２は、その後部にニードル２を本体１に固定するための第１の部分１１を有している。ニードル２には、第１の部分１１に隣接して、ニードル２を本体１内に支持するための第２の部分１２が形成されている。さらに、ニードル２の第２の部分１２に隣接するテーパ状部１３は自由端に向かって縮径され、同テーパ状部１３の表面は保持間隙３を構成する他の領域１４を形成している。
【００１２】
孔８内においてニードル２は部材１５によってロックされている。部材１５は、図示しないバネによって図２に示すロック位置に保持される。矢印Ａ方向への圧力によって、部材１５はバネ力に抗して解放位置に移動され、ニードル２が取り外されたり、交換されたりする。
【００１３】
図２に示すように、ニードル２はそのテーパ状部１３が本体１の下面から突出し、本体１の凸状領域６全体にわたって延伸している。
特に図３に示すように、本実施例においては保持間隙３及び同保持間隙３から前方に連続する進入用間隙１６が形成されている。保持間隙３はその一側が孔８の内壁に、他側がニードル２のテーパ状部１３の表面にて区画されている。保持間隙３は実効方向に延びるほど幅が狭くなり、その逆方向には輪郭が大きくなるような曲線状の断面を有している。
【００１４】
前記保持間隙３に糸４が挿入されると、糸４は変形される。保持間隙３を狭めて糸の断面を変形させることと、保持間隙３の断面の輪郭を大きくして変形した糸にてニードル２の回りを環状に囲むこととは同時に行われる。保持動作及び保持点１７は保持間隙３内で発生する摩擦力によって決定される。この摩擦力は糸に加えられる張引力、糸４の変形度合い、及び糸４がニードル２のテーパ状部１３の回りを巻く（図３）度合いによる。糸４の変形及び糸４の巻回度合いにより、糸４の各単繊維がニードル２のテーパ状部１３に対して押しつけられるように保持される。
【００１５】
間隙３の幅や糸４の直径を選択することにより、糸と間隙の下部には自由空間部を発生させ得るように保持点１７の位置を調整することができる。
間隙の自由空間部において、各単繊維即ち繊維は自由に移動することができ、単繊維が引出された時には糸はこれら繊維と共に引き出される。これにより、糸の風綿が保持間隙３の後方に残されることが防止される。さらに、径が異なる複数の糸が同一の糸保持装置にて保持されることが可能になる。
【００１６】
図４に示す実施例では、ニードル２は本体１に対して移動可能になっている。この移動を規制すべく、本体１の部分７には板バネ１８がネジ１９により止着されている。板バネ１８の湾曲部２０の端は第１の部分１１の端面と接触するようになっている。図４の構成を図１に示す実施例に応用するならば、矢印Ａ方向への圧力によって湾曲部２０を解放位置に移動させることにより、ニードル６は離脱及び交換可能になる。
【００１７】
図５（ａ）〜（ｆ）はそれぞれニードル２のテーパ状部１３の断面形状の例を示すものである。テーパ状部１３の外周部分は保持間隙３の境界領域を形成している。この境界領域は直線状の母線に従って形成された円柱領域か、又は平面状の領域を含む。
【００１８】
図６は、グリッパ式織機のグリッパ内における糸保持装置の挿着状態を示す。糸保持装置は２個の保持部材１，２からなり、両者は保持間隙３を形成するように配設されている。保持間隙３は実効方向に向かって幅が狭くなり、輪郭は大きくなっている。緯糸の保持は同緯糸４の弾性変形及び一方の保持部材を糸によって環状に囲むことによって行われる。この際に、緯糸の損傷は大幅に回避される。
【００１９】
【発明の効果】
以上詳述したように、この発明は織布に織傷が発生することがなく、直径の異なる複数の緯糸を確実に保持することが可能となるという優れた効果を発揮する。
【図面の簡単な説明】
【図１】本発明における糸保持装置を示す斜視図である。
【図２】図１のＢ−Ｂ線における断面図である。
【図３】糸を拡大した状態で示す図２の詳細図である。
【図４】本発明の別の実施例を示す断面図である。
【図５】（ａ）〜（ｆ）はそれぞれニードルの断面形状を示す断面図である。
【図６】図１の糸保持装置を備えたグリッパヘッドを示す斜視図である。
【符号の説明】
１…第１の保持部材、２…第２の保持部材、３…保持間隙、４…緯糸、９…領域、１４…領域。
【図１】
0003602558.tif 000002
【図２】
0003602558.tif 000003
【図３】
0003602558.tif 000004
【図４】
0003602558.tif 000005
【図５】
0003602558.tif 000006
【図６】
0003602558.tif 000007